(57)【要約】【課題】非接触通信によって取得された電力を蓄積する構成を有しながらも、非接触通信によって制御手段に供給される電力による電圧が、制御手段における駆動電圧を下回ってしまうことを回避する。【解決手段】非接触通信によって取得された電力を蓄積する蓄電部３４と、蓄電部３４に蓄積された電力を用いて情報を表示出力する表示部６０と、非接触通信によって取得された電力によって駆動し、表示部６０における情報の表示出力を制御する表示制御部５０と、表示制御部５０の電源電圧を監視し、該電源電圧に応じて、蓄電部３４への電力の供給のＯＮ／ＯＦＦを切り替える電源監視部４０とを有する。【選択図】図１
2018151750.tif 000002
【特許請求の範囲】
【請求項１】
非接触通信によって電力を取得する通信手段と、
前記通信手段が取得した電力が供給され、該電力を蓄積する蓄電手段と、
前記蓄電手段に蓄積された電力を用いて情報を出力する出力手段と、
前記通信手段が取得した電力が供給され、該電力によって駆動して前記出力手段における情報の出力を制御する制御手段と、
前記通信手段から前記制御手段に供給される電力による当該制御手段の電源電圧を監視し、該電源電圧に応じて、前記蓄電手段への電力の供給のＯＮ／ＯＦＦを切り替える電源監視手段とを有する、非接触通信媒体。
【請求項２】
請求項１に記載の非接触通信媒体において、
前記電源監視手段は、前記蓄電手段への電力の供給がＯＮである状態にて前記制御手段の電源電圧が当該制御手段の駆動電圧を上回っている差分が第１の所定値以下となった場合に、前記蓄電手段への電力の供給をＯＦＦとし、前記蓄電手段への電力の供給がＯＦＦである状態にて前記制御手段の電源電圧が当該制御手段の駆動電圧を上回っている差分が、前記第１の所定値よりも大きな第２の所定値以上となった場合に、前記蓄電手段への電力の供給をＯＮとする、非接触通信媒体。
【請求項３】
請求項１または請求項２に記載の非接触通信媒体において、
前記出力手段は、前記蓄電手段に蓄積された電力によって情報を表示出力し、その後電力が供給されなくなった状態でも当該情報の表示を維持する、非接触通信媒体。
【発明の詳細な説明】
【技術分野】
【０００１】
本発明は、非接触通信によって取得された電力によって情報を出力する非接触通信媒体に関し、特に、情報を出力するために必要となる電力による弊害を回避する技術に関する。
【背景技術】
【０００２】
近年、情報化社会の進展に伴って、情報をカードに記録し、該カードを用いた情報管理や決済等が行われている。このような情報管理や決済等に用いられるカードとして、電磁誘導方式や電波方式によって外部送受信機から電力を取得して非接触通信を行う非接触型ＩＣカードが用いられている。このような非接触型ＩＣカードにおいては、外部送受信機から送信された搬送波に乗せられた電力によって起動し、搬送波に乗せられた情報を受信して処理を行う。この際、搬送波に乗せられた電力を、整流回路及び定電圧制御回路等を介して安定した直流電源に変換し、この直流電源を用いて、搬送波に乗せられた情報を受信して変復調回路にて復調したり、変復調回路にて変調した情報を搬送波に乗せて送信したりする処理を行う。なお、通信距離は一般的に、電磁誘導方式が数十ｃｍ、電波方式は数ｍであるが、電波方式は電磁誘導方式に比べて得られる電力は極めて微弱である。
【０００３】
近年、このような非接触型ＩＣカードに情報表示機能を付加した非接触通信媒体が考えられている。非接触型ＩＣカードに情報表示機能を付加した非接触通信媒体は、情報を受信して処理するための電力の他に、情報を表示するための電力が必要となるが、一般的には、情報を受信してその復調処理や復号化処理を行うための電力よりも、情報を表示するための電力の方が多大である。そのため、外部送受信機との距離によっては、搬送波に載せられた電力のみでは、情報を表示することが困難となる場合がある。
【０００４】
ここで、蓄電手段を内蔵し、余剰電力を蓄電手段に蓄積しておき、非接触通信によって得た電力の電圧値に応じて、電力の供給源を外部または蓄電手段の間で切り替えるカード装置が、特許文献１に開示されている。この技術を用いれば、非接触通信媒体において、情報を表示する等の大きな電力を必要とする場合でも、電力の不足を補うことができるようになる。
【先行技術文献】
【特許文献】
【０００５】
【特許文献１】特開２００６−３２３６８３号公報
【発明の概要】
【発明が解決しようとする課題】
【０００６】
しかしながら、特許文献１に開示されたもののように、非接触通信によって取得された電力を蓄電手段に蓄積する構成においては、蓄電手段への電力の蓄積時に、電力が蓄電手段への蓄積にとられ、制御回路等を動作させている電源電圧が、駆動に必要となる駆動電圧を下回ってしてしまい、制御回路等がリセットしてしまう虞がある。
【０００７】
本発明は、上述したような従来の技術が有する問題点に鑑みてなされたものであって、非接触通信によって取得された電力を蓄積する構成を有しながらも、非接触通信によって制御手段に供給される電力による電圧が、制御手段における駆動電圧を下回ってしまうことを回避できる非接触通信媒体を提供することを目的とする。
【課題を解決するための手段】
【０００８】
上記目的を達成するために本発明は、
非接触通信によって電力を取得する通信手段と、
前記通信手段が取得した電力が供給され、該電力を蓄積する蓄電手段と、
前記蓄電手段に蓄積された電力を用いて情報を出力する出力手段と、
前記通信手段が取得した電力が供給され、該電力によって駆動して前記出力手段における情報の出力を制御する制御手段と、
前記通信手段から前記制御手段に供給される電力による当該制御手段の電源電圧を監視し、該電源電圧に応じて、前記蓄電手段への電力の供給のＯＮ／ＯＦＦを切り替える電源監視手段とを有する。
【０００９】
上記のように構成された本発明においては、非接触通信によって取得された電力によって制御手段が駆動した後、情報を出力手段から出力するための電力が蓄電手段に供給されて蓄積されていくが、非接触通信によって取得された電力が蓄電手段に蓄積され始めると、非接触通信によって取得された電力の多くが蓄電手段に供給されることにより制御手段の電源電圧が低下していき、制御手段の電源電圧が駆動電圧を下回ってしまう虞がある。そこで、電源監視手段において、制御手段の電源電圧が監視され、制御手段の電源電圧に応じて、蓄電手段への電力の供給のＯＮ／ＯＦＦが切り替えられるので、制御手段に供給される電力による電源電圧が、制御手段における駆動電圧を下回ってしまうことが回避されることになる。
【００１０】
具体的には、電源監視手段において、蓄電手段への電力の供給がＯＮである状態にて制御手段の電源電圧が制御手段の駆動電圧を上回っている差分が第１の所定値以下となった場合に、蓄電手段への電力の供給をＯＦＦとし、蓄電手段への電力の供給がＯＦＦである状態にて制御手段の電源電圧が制御手段の駆動電圧を上回っている差分が、第１の所定値よりも大きな第２の所定値以上となった場合に、蓄電手段への電力の供給をＯＮとすることが考えられる。
【００１１】
また、出力手段としては、蓄電手段に蓄積された電力によって情報を表示出力し、その後電力が供給されなくなった状態でも情報の表示を維持するものが考えられる。
【発明の効果】
【００１２】
本発明によれば、電源監視手段において、制御手段の電源電圧が監視され、制御手段の電源電圧に応じて、非接触通信によって取得され、出力手段から情報を出力するための電力の蓄電手段への供給のＯＮ／ＯＦＦを切り替えるため、非接触通信によって取得された電力を蓄積する構成を有しながらも、非接触通信によって制御手段に供給される電力による電圧が、制御手段における駆動電圧を下回ってしまうことを回避できる。
【図面の簡単な説明】
【００１３】
【図１】本発明の非接触通信媒体の実施の一形態を示すブロック図である。
【図２】図１に示した非接触通信媒体が非接触通信を行う状態を示す図である。
【図３】図２に示した状態における図１に示した非接触通信媒体の動作を説明するためのフローチャートである。
【図４】図１に示した非接触通信媒体における蓄積部への電力の蓄積のＯＮ／ＯＦＦ制御を説明するための図である。
【図５】本発明の非接触通信媒体の他の実施の形態を示すブロック図である。
【発明を実施するための形態】
【００１４】
以下に、本発明の実施の形態について図面を参照して説明する。
【００１５】
図１は、本発明の非接触通信媒体の実施の一形態を示すブロック図である。
【００１６】
本形態における非接触通信媒体は図１に示すように、送受信部１０と、第一電源部２０と、第二電源部３０と、電源監視部４０と、表示制御部５０と、表示部６０とを有している。
【００１７】
送受信部１０は、本願発明における通信手段となるものであって、例えば１３．５６ＭＨｚ帯のコイル状のアンテナや、マイクロ波や極超短波帯等のアンテナからなり、外部送受信機から送信された交流からなる搬送波を受信することにより、非接触状態にて交流電流を取得し、搬送波に乗せられた情報を受信したり、情報を搬送波に乗せて送信したりして非接触通信を行う。また、送受信部１０は、外部送受信機から送信された搬送波を受信することによって交流電流を取得し、この搬送波に乗せられた電力を取得する。
【００１８】
第一電源部２０は、変復調回路２１と、整流回路２２と、定電圧制御回路２３と、情報処理部２４と、情報記憶部２５とを有している。
【００１９】
変復調回路２１は、送受信部１０にて受信された搬送波に情報が乗っている場合は、その情報を取り出し、情報処理部２４にて処理可能なデジタル値に復調する。また、情報処理部２４にて処理されたデジタル値による情報を、送受信部１０において搬送波に乗せて送信可能なアナログ値に変調する。
【００２０】
整流回路２２は、送受信部１０にて取得された交流電流から、情報処理部２４にて所定の処理を行うために必要となる電力に応じた電流を取り出し、この電流を直流電流に変換する。
【００２１】
定電圧制御回路２３は、整流回路２２にて直流に変換された電流から安定した電圧を有する電源を生成し、それにより、情報処理部２４にて所定の処理を行うために必要となる電力を生成する。
【００２２】
情報処理部２４は、定電圧制御回路２３にて生成された電力によって駆動し、変復調回路２１にて復調された情報について所定の処理を行う。例えば、変復調回路２１にて復調された情報を情報記憶部２５に記憶したり、情報記憶部２５に記憶された情報を表示制御部５０とやりとりしたりするための処理を行う。また、情報処理部２４は、情報記憶部２５に記憶された情報を変復調回路２１に出力し、外部送受信機に対して送信するための処理を行う。これらの処理は、情報処理部２４に記憶されたプログラムに従って行われたり、外部送受信機からのコマンドに従って行われたりする。また、情報処理部２４は、定電圧制御回路２３にて生成された電力から、表示制御部５０における基本処理に必要となる電力を表示制御部５０に供給する。
【００２３】
情報記憶部２５は、情報処理部２４にて処理された情報等を記憶する。
【００２４】
第二電源部３０は、整流回路３１と、定電圧制御回路３２と、電源制御部３３と、蓄電部３４とを有している。
【００２５】
整流回路３１は、送受信部１０にて取得された交流電流から、表示制御部５０及び表示部６０を駆動させるために必要となる電力に応じた電流を取り出し、この電力を直流電流に変換する。
【００２６】
定電圧制御回路３２は、整流回路３１にて直流に変換された電流から安定した電圧を有する電源を生成し、それにより、表示制御部５０及び表示部６０を駆動させるために必要となる電力を生成する。
【００２７】
蓄電部３４は、定電圧制御回路３２にて生成された電力が供給され、供給された電力を蓄積する。
【００２８】
電源制御部３３は、定電圧制御回路３２にて生成された電力あるいは、蓄電部３４に蓄積された電力を表示制御部５０に供給するとともに、電源監視部４０の制御によって、定電圧制御回路３２にて生成された電力の蓄電部３４への供給のＯＮ／ＯＦＦを切り替える。
【００２９】
電源監視部４０は、送受信部１０から第一電源部２０を介して表示制御部５０に供給される電力による表示制御部５０の電源電圧を監視し、この電源電圧に応じて、電源制御部３３を介して蓄電部３４への電力の供給のＯＮ／ＯＦＦを切り替える。
【００３０】
表示制御部５０は、本願発明における制御手段となるものであって、情報処理部２４から供給された電力によって駆動し、第二電源部３０から供給された電力を用いて、情報処理部２４にて処理された情報を表示部６０に表示させる。
【００３１】
表示部６０は、本願発明における出力手段となるものであって、表示制御部５０の制御によって情報を表示する。
【００３２】
以下に、上記のように構成された非接触通信媒体１の動作について説明する。
【００３３】
図２は、図１に示した非接触通信媒体１が非接触通信を行う状態を示す図である。図３は、図２に示した状態における図１に示した非接触通信媒体１の動作を説明するためのフローチャートである。
【００３４】
図１に示した非接触通信媒体１は、図２に示すように、外部送受信機７０との間にて搬送波を送受信することによって非接触通信を行う。外部送受信機７０は、一般的にリーダライタと称されるものであって、図２に示すように、制御部７１と送受信部７２とを有している。
【００３５】
非接触通信媒体１が外部送信機７０に近接すると、外部送信機７０から送信された交流からなる搬送波が非接触通信媒体１の送受信部１０にて受信され、その交流電流が取得される。そして、整流回路２２において、送受信部１０にて取得された交流電流を直流電流に変換し、さらに、定電圧制御回路２３において直流電流を直流電圧に変換し、情報処理部２４及び表示制御部５０にこの直流電圧による電力を供給する。また、外部送信機７０から送信された搬送波に情報が乗っている場合は、変復調回路２１において、搬送波に乗っている情報を取り出してデジタル値に復調し、デジタル値に変調された情報が情報処理部２４に送られる。そして、情報処理部２４において、変復調回路２１から送られてきた情報に応じた処理を行い、この情報が必要に応じて情報記憶部２５に記憶される。このようにして、非接触通信媒体１が外部送信機７０に近接することで、非接触通信媒体１と外部送信機７０との非接触通信が開始され、表示制御部５０に電力が供給されることになる（ステップ１，２）。なお、この時点では、電源制御部３３の制御によって、第二電源部３０から表示制御部５０に対する電力供給は行わないものとする。すなわち、整流回路２２及び定電圧制御回路２３によって生成される電力は、情報処理部２４の駆動及び表示制御部５０の基本処理を実施するのに必要な分だけ供給されることとなる。
【００３６】
その後、第一電源部２０から電力が供給されることで表示制御部５０が安定して駆動した時点で（ステップ３）、電源制御部３３の制御によって、蓄電部３４への電力の供給がＯＮとされ、それにより、電力の蓄電部３４への蓄積が開始される（ステップ４）。この際、整流回路３１において、送受信部１０にて取得された交流電流が直流電流に変換され、この直流電流が定電圧制御回路３２にて直流電圧に変換され、この直流電圧による電力が蓄積部３４に蓄積されることとなる。なお、表示制御部５０が安定して駆動したかどうかの判断は電源監視部４０が行う。具体的には、電源監視部４０にて表示制御部５０の電源電圧が監視されており、この電源電圧に基づいて、表示制御部５０が安定して駆動した旨が判断されることとなる。
【００３７】
電源監視部４０においては、第一電源部２０から供給される電力による表示制御部５０の電源電圧を監視しており、蓄電部３４における蓄電量が、表示部６０にて情報を表示するために十分なものでない場合であって（ステップ５）、また、表示制御部５０の電源電圧が、表示制御部５０が安定駆動するための駆動電圧を下回りそうになった場合（ステップ６）、電源監視部４０は、電源制御部３３を介して蓄電部３４への電力の供給をＯＦＦとし、定電圧制御回路３２にて生成された電力の蓄電部３４への蓄積を停止する（ステップ７）。
【００３８】
その後、電源監視部４０において、第一電源部２０から供給される電力による表示制御部５０の電源電圧を引き続き監視し、表示制御部５０の電源電圧が、表示制御部５０が安定駆動するための駆動電圧を安定して上回った場合（ステップ８）、電源監視部４０は、電源制御部３３を介して蓄電部３４への電力の供給をＯＮとし、ステップ４に戻り、電源制御部３３の制御によって、蓄電部３４への電力の蓄積が再開される。
【００３９】
このステップ４〜８の処理が繰り返し行われ、蓄電部３４に電力が蓄積されていき、蓄電部３４における蓄電量が、表示部６０にて情報を表示するために十分なものとなった時点で（ステップ５）、表示制御部５０が、情報記憶部２５に記憶された情報を情報処理部２４を介して読み取り、表示部６０に表示する（ステップ９）。この際、表示部６０として、表示の書き替え時には電力を必要とするものの、情報の表示の維持に電力を必要としないメモリー性表示体である電子ペーパーを用いれば、表示の書き替え時に、蓄積部３４に蓄積された電力によって情報を表示出力し、その後は、電力が供給されなくなった状態でも情報の表示を維持することができる。このように、整流回路３１及び定電圧制御回路３２によって生成される電力は、主に、蓄電部３４と表示部６０の表示に消費される。
【００４０】
このように、非接触通信によって取得された電力によって表示制御部５０が駆動した後、非接触通信によって受信された情報を表示部６０にて表示出力するための電力が蓄電部３４に供給されて蓄積されていくが、非接触通信によって取得された電力が蓄電部３４に蓄積され始めると、非接触通信によって取得された電力の多くが蓄電部３４に供給されることにより表示制御部５０の電源電圧が低下していき、表示制御部５０の電源電圧が駆動電圧を下回ってしまう虞がある。そこで本形態においては、電源監視部４０において、表示制御部５０の電源電圧が監視され、表示制御部５０の電源電圧に応じて、蓄電部３４への電力の供給のＯＮ／ＯＦＦが切り替えられるので、表示制御部５０に供給される電力による電源電圧が、表示制御部５０における駆動電圧を下回ってしまうことを回避できることとなる。
【００４１】
ここで、電源監視部４０における蓄積部３４への電力の蓄積のＯＮ／ＯＦＦ制御について詳細に説明する。
【００４２】
図４は、図１に示した非接触通信媒体１における蓄積部３４への電力の蓄積のＯＮ／ＯＦＦ制御を説明するための図である。なお、図４においては、蓄電部３４の蓄電量を実線で示し、表示制御部５０の電源電圧を一点鎖線で示している。
【００４３】
上述したように、非接触通信によって取得された電力が蓄電部３４に供給されて蓄積され始めると、非接触通信によって取得された電力の多くが蓄電部３４に供給されることにより表示制御部５０の電源電圧が低下していく。そして、表示制御部５０の電源電圧が、表示制御部５０が安定駆動するための駆動電圧を下回りそうになった場合に、蓄電部３４への電力の供給をＯＦＦとし、蓄電部３４への電力の蓄積を停止する。
【００４４】
例えば、図４に示すように、非接触通信によって取得された電力が時刻ｔ0で蓄電部３４に蓄積され始めると、蓄電部３４における蓄電量が増加していくとともに、表示制御部５０の電源電圧が低下していく。そして、表示制御部５０が安定駆動するための駆動電圧を下回りそうになったと判断するための電圧として、表示制御部５０が安定駆動するための駆動電圧Ｖ0に対して上回っている差分が第１の所定値Ｖ1以下となった時刻ｔ1において、蓄電部３４への電力の供給をＯＦＦとする。
【００４５】
すると、蓄電部３４における蓄電量の増加が停止する一方で、表示制御部５０の電源電圧が上昇していき、表示制御部５０の電源電圧が、表示制御部５０が安定駆動するための駆動電圧を安定して上回ったと判断するための電圧として、表示制御部５０が安定駆動するための駆動電圧Ｖ0に対して上回っている差分が第２の所定値Ｖ2以上となった時刻ｔ2において、蓄電部３４への電力の供給をＯＮとする。
【００４６】
この処理を、蓄電部３４における蓄電量が、表示部６０にて情報を表示するために十分なものとなるまで行うことで、非接触通信によって取得された電力を、表示部６０にて情報を表示するために蓄積する構成を有しながらも、非接触通信によって表示制御部５０に供給される電力による電圧が、表示制御部５０における駆動電圧を下回ってしまうことを回避できる。
【００４７】
なお、蓄電部３４における蓄電量が一旦フル状態となった後は、蓄電部３４の状態が安定することから、蓄電部３４への電力の供給をＯＮとしたままであっても、表示制御部５０の電源電圧が駆動電圧を下回ってしまうことはなくなる。
【００４８】
（他の実施の形態）
図５は、本発明の非接触通信媒体の他の実施の形態を示すブロック図である。
【００４９】
本形態は図５に示すように、図１に示した表示部６０内に蓄電部を有する構成において、その蓄電部への電力の供給のＯＮ／ＯＦＦを制御するものである。本形態においては、表示部６０内に、昇圧制御回路６１と、昇圧回路６２と、昇圧蓄電部６３と、駆動処理部６４と、駆動蓄電部６５と、表示媒体６６とが設けられている。また、本形態においては、表示制御部５０内に電源監視部４０が設けられた構成となっている。電源部１１０は、図１に示した第一電源部２０及び第二電源部３０と同様のものである。
【００５０】
表示媒体６６は、表示制御部５０から表示部６０に供給される電圧よりも高い電圧によって情報を表示するものである。
【００５１】
昇圧回路６２は、表示制御部５０から供給された電力による電圧を、表示媒体６６にて情報を表示するために必要となる電圧に昇圧させるものであり、昇圧制御回路６１は、昇圧回路６２における昇圧動作を制御するものである。昇圧蓄電部６３は、昇圧回路６２にて電圧を昇圧するために、表示制御部５０から供給された電力を蓄積するものである。
【００５２】
駆動処理部６４は、表示媒体６６を駆動させ、情報を表示させるものであり、駆動蓄電部６５は、駆動処理部６４を駆動させるために、表示制御部５０から供給された電力を蓄積するものである。
【００５３】
上記のように構成された非接触通信媒体１０１においては、昇圧回路６２にて電圧を昇圧させるためや、駆動処理部６４を駆動させるために、表示制御部５０から供給された電力を昇圧蓄電部６３や駆動蓄電部６５に蓄積する必要がある。その際、図１に示したものと同様に、電源監視部４０において表示制御部５０の電源電圧を監視しておき、表示制御部から供給された電力が昇圧蓄電部６３や駆動蓄電部６５に蓄積されることで、表示制御部５０の電源電圧が、表示制御部５０が安定駆動するための駆動電圧を下回りそうになった場合に、表示制御部５０から表示部６０への電力の供給を停止することで、昇圧蓄電部６３や駆動蓄電部６５への電力の供給をＯＦＦとして昇圧蓄電部６３や駆動蓄電部６５への電力の蓄積を停止し、それにより、表示制御部５０に電源部１１０から供給される電力による電源電圧が、表示制御部５０における駆動電圧を下回ってしまうことを回避できることとなる。その後、電源監視部４０において表示制御部５０の電源電圧を引き続き監視し、表示制御部５０の電源電圧が、表示制御部５０が安定駆動するための駆動電圧を安定して上回った場合に、表示制御部５０から表示部６０への電力の供給を再開することで、昇圧蓄電部６３や駆動蓄電部６５への電力の供給をＯＮとして昇圧蓄電部６３や駆動蓄電部６５への電力の蓄積を再開し、この処理を繰り返すことで、表示制御部５０の電源電圧が駆動電圧を下回ってしまうことを回避しながらも、昇圧回路６２にて電圧を昇圧させるための電力を昇圧蓄電部６３に蓄積するとともに、駆動処理部６４を駆動させるための電力を駆動蓄電部６５に蓄積することができるようになる。
【００５４】
なお、本形態の構成及び動作は、図１に示した非接触通信媒体１の表示部６０に適用することが考えられる。
【００５５】
その場合は、まず、表示制御部５０に電力が供給されて表示制御部５０が安定駆動した後、蓄電部３４への電力の蓄積が開始されるとともに、表示部６０へも表示制御部５０を介して電力が供給される。
【００５６】
そして、表示部６０において、昇圧回路６２にて電圧を昇圧させるための電力が昇圧蓄電部６３に蓄積されるとともに、駆動処理部６４を駆動させるための電力が駆動蓄電部６５に蓄積されていく。その際、上述したように、表示制御部５０の電源電圧に応じて、昇圧蓄電部６３及び駆動蓄電部６５への電力の供給及びそれによる蓄電のＯＮ／ＯＦＦが切り替えられながら、昇圧蓄電部６３及び駆動蓄電部６５に電力が蓄積されていく。
【００５７】
また、蓄電部３４への電力の供給及びそれによる蓄電においても、表示制御部５０の電源電圧に応じてＯＮ／ＯＦＦを切り替えながら行われ、蓄電部３４における蓄電量が、表示部６０にて情報を表示するために十分なものとなった後、表示部６０に情報が表示されることとなる。
【００５８】
なお、上述したように、表示部６０においては情報記憶部２５に記憶された情報が表示出力されているが、情報記憶部２５に非接触通信によらずに記憶された情報であっても、上述した処理にて表示部６０に表示して構わない。
【００５９】
また、上述した実施の形態においては、出力手段として、情報を表示出力する表示部６０を例に挙げて説明したが、情報を音声出力するもの等、比較的大きな電力を必要とするものであっても、本発明を適用することができる。
【符号の説明】
【００６０】
１，１０１    非接触通信媒体
１０，７２    送受信部
２０    第一電源部
２１    変復調回路
２２，３１    整流回路
２３，３２    定電圧制御回路
２４    情報処理部
２５    情報記憶部
３０    第二電源部
３３    電源制御部
３４    蓄電部
４０    電源監視部
５０    表示制御部
６０    表示部
６１    昇圧制御回路
６２    昇圧回路
６３    昇圧蓄電部
６４    駆動処理部
６５    駆動蓄電部
６６    表示媒体
７０    外部送受信機
７１    制御部
【図１】
2018151750.tif 000003
【図２】
2018151750.tif 000004
【図３】
2018151750.tif 000005
【図４】
2018151750.tif 000006
【図５】
2018151750.tif 000007